(57)【要約】      （修正有）【課題】構造物に免震機能を付与させるだけでなく、構造物に緩衝機能も付与させて、さらに、構造物を所定の位置に容易に復元させる復元機能をも付与させる構造物の免震システムを提供する。【解決手段】構造物６を下方から支持して地震動を吸収する構造物６の免震システムに関し、基礎盤５ａと構造物床部６ａとの間に設けられて構造物６を支持する免震装置７と、基礎盤５ａ又は側壁面５ｂと構造物６との間に設けられて構造物６の地震動による移動を復元する第１復元装置３、第２復元装置とを備え、免震装置７は、上面に複数の上向きの凸曲面部が形成された平板状の基台の上に、下面に滑走部が形成された平板状の滑走板を載せ置くことにより設けられる。【選択図】図１
2014084678.tif 000002
【特許請求の範囲】
【請求項１】
構造物を下方から支持して地震動を吸収する構造物の免震システムであって、
基礎盤と構造物との間に設けられて構造物を支持する免震装置と、基礎盤又は側壁面と構造物との間に設けられて構造物の地震動による変位を復元する復元装置とを備え、
前記免震装置は、上面に複数の上向きの凸曲面部が形成された平板状の基台の上に、下面に滑走部が形成された平板状の滑走板を載せ置くことにより設けられること
を特徴とする構造物の免震システム。
【請求項２】
前記復元装置は、支持部と、前記支持部に接続されて軸芯方向に圧縮する変位部とを有し、側壁面と構造物との間で、構造物を取り囲むようにして複数設けられること
を特徴とする請求項１記載の構造物の免震システム。
【請求項３】
複数の前記復元装置に取り付けられ、各々の前記支持部を複数に亘って直列に連結する加圧装置をさらに備え、
前記復元装置は、構造物に地震動が作用する前の状態で、前記変位部が軸芯方向で前記支持部に向けてのみ圧縮するように前記支持部に接続され、
前記加圧装置は、構造物に地震動が作用した後の状態で、各々の前記支持部を複数に亘って直列に加圧することにより、前記変位部を軸芯方向で伸長させること
を特徴とする請求項２記載の構造物の免震システム。
【請求項４】
前記復元装置は、前記変位部の軸芯方向で構造物に向けた先端面部に、前記基台と前記滑走板とが、重ね合わされて取り付けられること
を特徴とする請求項２又は３記載の構造物の免震システム。
【請求項５】
前記復元装置は、基礎盤に取り付けられる下段板部と、構造物の内部に取り付けられる上段板部と、前記下段板部と前記上段板部とに連結される弾性柱体とを有し、基礎盤と構造物との間で、基礎盤から構造物の内部に亘って設けられること
を特徴とする請求項１〜４の何れか１項記載の構造物の免震システム。
【請求項６】
前記復元装置は、前記下段板部及び前記弾性柱体を取り外して、構造物をジャッキアップするためのジャッキ部材を、前記上段板部に取り付けることができること
を特徴とする請求項５記載の構造物の免震システム。
【請求項７】
請求項２〜４の何れか１項記載の構造物の免震システムが備える復元装置であって、
前記復元装置は、各々の前記支持部で連結される第１電磁弁を開放するとともに、各々の前記支持部を複数に亘って直列に連結する第２電磁弁を閉じた状態とすることで、構造物に作用する地震動による衝撃を、前記変位部の軸芯方向の圧縮によってエネルギー吸収させるものであり、かつ、前記第１電磁弁を閉じるとともに、前記第２電磁弁を開放した状態として、各々の前記支持部を複数に亘って直列に加圧することにより、構造物に作用した地震動による変位を、前記変位部の軸芯方向の伸長によって復元させるものであること
を特徴とする復元装置。
【発明の詳細な説明】
【技術分野】
【０００１】
本発明は、構造物に免震機能を付与させるだけでなく、構造物に緩衝機能も付与させて、さらに、構造物を所定の位置に容易に復元させる復元機能をも付与させる構造物の免震システムに関する。
【背景技術】
【０００２】
従来より、地震等による振動が建物に作用した場合に、建物を地震の変位に円滑に対応させることを目的として、特許文献１に開示される免震建物が提案されている。
【０００３】
特許文献１に開示される免震建物は、主躯体部とエレベータシャフトとで構成され、地下の基礎の上に構築された下主躯体部と、下主躯体部の上方に構築された上主躯体部との間に、積層ゴムや、スライドシュー等で構成される複数の免震装置が配置され、この複数の免震装置により、上主躯体部の水平方向の変位を許容するものである。
【０００４】
また、特許文献１に開示される免震建物は、上主躯体部に一体に結合されたエレベータシャフトの下シャフト部の外周部と、エレベータシャフトのシャフト収容空間の内周部との間に、スプリングや、ダンパー等で構成される複数の水平変位吸収機構が配置され、この複数の水平変位吸収機構により、下シャフト部の水平方向の変位を制御するものである。
【先行技術文献】
【特許文献】
【０００５】
【特許文献１】特開平１１−３５０７８２号公報
【発明の概要】
【発明が解決しようとする課題】
【０００６】
しかし、特許文献１に開示される免震建物は、下主躯体部と上主躯体部との間に配置された複数の免震装置が、積層ゴムや、スライドシュー等で構成され、積層ゴムが弾性変形することのできる範囲や、スライドシューのレールが有する長さの範囲のみで、地震動による水平方向の変位に追従するものである。このため、特許文献１に開示される免震建物は、地震動に対して建物が共振するおそれがあるとともに、想定外の地震動が建物に作用した場合に、これらの免震装置で追従することのできる水平方向の変位が制限され、建物の水平方向の想定外の大きな変位を十分に吸収することができず、建物が積層ゴムから脱落して倒壊するおそれがあるという問題点があった。
【０００７】
また、特許文献１に開示される免震建物は、スライドシューで構成された複数の免震装置が配置された場合に、スライドシューのレールが井の字状に設けられ、水平方向で２方向にのみ変位に追従するものである。このため、特許文献１に開示される免震建物は、建物にあらゆる方向から作用する地震動に対して、複数の免震装置で追従することのできる水平方向が２方向にのみ限定され、ねじれ変位を十分に吸収することができず、レールから脱落して建物が倒壊するおそれがあるという問題点があった。
【０００８】
さらに、特許文献１に開示された免震建物は、下シャフト部の外周部とシャフト収容空間の内周部との間に配置された複数の水平変位吸収機構が、スプリングや、ダンパー等で構成され、このスプリングや、ダンパー等により、下シャフト部の水平方向の変位を制御するものである。このため、特許文献１に開示される免震建物は、想定外の地震動が建物に作用して、建物が水平方向に変位して静止した場合に、この水平方向に変位した建物を元の位置に復元させることができず、再度の地震動がこの建物に作用したときに建物を水平方向に変位させることができないことになり、建物が積層ゴムから脱落して倒壊するおそれがあるという問題点があった。
【０００９】
そこで、本発明は、上述した問題点に鑑みて案出されたものであり、その目的とするところは、構造物に想定外の大きな地震動が作用した場合であっても、構造物が倒壊することのないように、構造物に免震機能を付与させるだけでなく、構造物に緩衝機能も付与させて、さらに、構造物を所定の位置に容易に復元させる復元機能をも付与させる構造物の免震システムを提供することにある。
【課題を解決するための手段】
【００１０】
第１発明に係る構造物の免震システムは、構造物を下方から支持して地震動を吸収する構造物の免震システムであって、基礎盤と構造物との間に設けられて構造物を支持する免震装置と、基礎盤又は側壁面と構造物との間に設けられて構造物の地震動による変位を復元する復元装置とを備え、前記免震装置は、上面に複数の上向きの凸曲面部が形成された平板状の基台の上に、下面に滑走部が形成された平板状の滑走板を載せ置くことにより設けられることを特徴とする。
【００１１】
第２発明に係る構造物の免震システムは、第１発明において、前記復元装置は、支持部と、前記支持部に接続されて軸芯方向に圧縮する変位部とを有し、側壁面と構造物との間で、構造物を取り囲むようにして複数設けられることを特徴とする。
【００１２】
第３発明に係る構造物の免震システムは、第２発明において、複数の前記復元装置に取り付けられ、各々の前記支持部を複数に亘って直列に連結する加圧装置をさらに備え、前記復元装置は、構造物に地震動が作用する前の状態で、前記変位部が軸芯方向で前記支持部に向けてのみ圧縮するように前記支持部に接続され、前記加圧装置は、構造物に地震動が作用した後の状態で、各々の前記支持部を複数に亘って直列に加圧することにより、前記変位部を軸芯方向で伸長させることを特徴とする。
【００１３】
第４発明に係る構造物の免震システムは、第２発明又は第３発明において、前記復元装置は、前記変位部の軸芯方向で構造物に向けた先端面部に、前記基台と前記滑走板とが、重ね合わされて取り付けられることを特徴とする。
【００１４】
第５発明に係る構造物の免震システムは、第１発明〜第４発明の何れかにおいて、前記復元装置は、基礎盤に取り付けられる下段板部と、構造物の内部に取り付けられる上段板部と、前記下段板部と前記上段板部とに連結される弾性柱体とを有し、基礎盤と構造物との間で、基礎盤から構造物の内部に亘って設けられることを特徴とする。
【００１５】
第６発明に係る構造物の免震システムは、第５発明において、前記復元装置は、前記下段板部及び前記弾性柱体を取り外して、構造物をジャッキアップするためのジャッキ部材を、前記上段板部に取り付けることができることを特徴とする。なお、第６発明に係る構造物の免震システムは、はじめから復元装置の弾性柱体の代わりにジャッキ部材を内蔵しておき、常時は基礎盤に非接触で保持するものとすることもできる。
【００１６】
第７発明に係る復元装置は、第２発明〜第４発明の何れかの構造物の免震システムが備える復元装置であって、前記復元装置は、各々の前記支持部で連結される第１電磁弁を開放するとともに、各々の前記支持部を複数に亘って直列に連結する第２電磁弁を閉じた状態とすることで、構造物に作用する地震動による衝撃を、前記変位部の軸芯方向の圧縮によってエネルギー吸収させるものであり、かつ、前記第１電磁弁を閉じるとともに、前記第２電磁弁を開放した状態として、各々の前記支持部を複数に亘って直列に加圧することにより、構造物に作用した地震動による変位を、前記変位部の軸芯方向の伸長によって復元させるものであることを特徴とする。
【発明の効果】
【００１７】
第１発明〜第６発明によれば、凸曲面部が形成された平板状の基台の上に、滑走部が形成された平板状の滑走板を載せ置くことにより、構造物から負荷される荷重を均一なものとして、構造物の構造物床部を下方から支持することが可能となる。
【００１８】
また、第１発明〜第６発明によれば、凸曲面部が形成された平板状の基台の上に、滑走部が形成された平板状の滑走板を載せ置くことにより、構造物を載せた状態で安定的な滑りを実現して、免震の可動距離をいくらでも大きく取ることができ、想定外の大きな地震であっても、あらゆる方向から作用する振動を十分に減衰させる効果を発揮させ、構造物に免震機能を付与することが可能となる。
【００１９】
特に、第２発明によれば、構造物を所定の位置に復元させる前の状態で、復元装置をショックアブソーバーとして用いることができ、地震によって構造物が水平方向に変位するときの衝撃エネルギーを吸収させる効果を発揮させ、構造物に緩衝機能を付与することが可能となる。
【００２０】
特に、第３発明によれば、構造物に地震動が作用した後の状態で、加圧装置を用いて変位部を軸芯方向で構造物に向けて一括して伸長させることができ、構造物が地震動によって水平方向に変位した場合であっても、構造物を復元装置の変位部で四方から押して復元装置の変位部が全長状態となることで、構造物を所定の位置に復元させることのできる復元機能を構造物に付与することが可能となる。
【００２１】
特に、第４発明によれば、変位部の先端面部と構造物壁部とに作用する上下左右方向の摩擦力を低減させることができ、地震動の作用によって構造物の構造物壁部が上下左右方向に変位した場合であっても、構造物壁部から作用する上下左右方向の摩擦力によって変位部が上下左右方向に折れ曲がること等による復元装置の損傷を回避することが可能となる。
【００２２】
特に、第５発明によれば、下段板部と上段板部とが弾性柱体で連結され、構造物に地震動が作用した状態で、下段板部と上段板部の水平方向における相対変位に弾性柱体を追従させることができ、水平方向の変位を所定の位置に復元させることのできる復元機能を構造物に付与することが可能となる。
【００２３】
特に、第６発明によれば、構造物を復元装置でジャッキアップして基礎盤から離間させ、免震装置の修理や交換を容易に実現するものとすることが可能となる。また、第６発明によれば、復元装置において、はじめから弾性柱体の代わりにジャッキ部材を内蔵しておき、常時は基礎盤に非接触で保持するものとすることもできる。
【００２４】
特に、第７発明によれば、構造物を所定の位置に復元させる前の状態で、復元装置をショックアブソーバーとして用いることができ、地震によって構造物が水平方向に変位するときの衝撃をエネルギー吸収させる効果を発揮させ、構造物に緩衝機能を付与することが可能となる。また、第７発明によれば、構造物に地震動が作用した後の状態で、加圧装置を用いて変位部を軸芯方向で構造物に向けて一括して伸長させることができ、構造物が地震動によって水平方向に変位した場合であっても、構造物を復元装置の変位部で四方から押して復元装置の変位部が全長状態となることで、構造物を所定の位置に復元させることのできる復元機能を構造物に付与することが可能となる。
【図面の簡単な説明】
【００２５】
【図１】（ａ）は、本発明に係る免震システムの第１実施形態が設けられた構造物を示す正面図であり、（ｂ）は、本発明に係る免震システムの第１実施形態が設けられた構造物を示す平面図である。
【図２】（ａ）は、本発明に係る免震システムの免震装置を示す正面図であり、（ｂ）は、本発明に係る免震システムの免震装置の基台を示す平面図であり、（ｃ）は、本発明に係る免震システムの免震装置の滑走板を示す平面図である。
【図３】本発明に係る免震システムの免震装置の基台の変形例を示す平面図である。
【図４】（ａ）は、本発明に係る免震システムの免震装置の基台の凸曲面部を示す側面図であり、（ｂ）は、基台の凸曲面部を示す平面図であり、（ｃ）は、基台の凸曲面部の変形例を示す側面図であり、（ｄ）は、基台の凸曲面部の変形例を示す平面図である。
【図５】本発明に係る免震システムの免震装置の基台の凸曲面部にスリットが形成された状態を示す平面図である。
【図６】（ａ）は、本発明に係る免震システムの免震装置の基台の凸曲面部の他の変形例を示す平面図であり、（ｂ）は、本発明に係る免震システムの免震装置の基台の凸曲面部の他の変形例を示す側面図である。
【図７】本発明に係る免震システムの免震装置が基礎盤に載せ置かれた状態を示す側面図である。
【図８】本発明に係る免震システムの免震装置の基台と滑走板の変形例とを示す側面図である。
【図９】本発明に係る免震システムの第１復元装置と加圧装置とを示す説明図である。
【図１０】（ａ）は、本発明に係る免震システムの第２実施形態が設けられた構造物を示す正面図であり、（ｂ）は、本発明に係る免震システムの第２実施形態が設けられた構造物を示す平面図である。
【図１１】本発明に係る免震システムの第２復元装置で構造物をジャッキアップした状態を示す正面図である。
【図１２】本発明に係る免震システムの第１実施形態において第２復元装置で構造物をジャッキアップする状態を示す正面図である。
【発明を実施するための形態】
【００２６】
以下、本発明を適用した免震システム１を実施するための形態について、図面を参照しながら詳細に説明する。
【００２７】
本発明を適用した免震システム１は、図１に示すように、地下収容部５に建設される中小規模から大規模の建物や、原子力発電所等のような、半地下構造物、地下構造物又は地上構造物等の構造物６に付属させて設けられる。
【００２８】
地下収容部５は、構造物６を支持する基礎盤５ａと、構造物６を四方から取り囲む側壁面５ｂとを備え、構造物６を収容することができるように、地盤面５ｃより下方の地下部分に構築されるものである。
【００２９】
構造物６は、地下収容部５の基礎盤５ａから支持される構造物床部６ａと、構造物床部６ａを取り囲むようにして設けられる構造物壁部６ｂとを備え、構造物床部６ａと構造物壁部６ｂとによって内側に内部空間６ｃが形成される。
【００３０】
本発明を適用した免震システム１は、第１実施形態において、基礎盤５ａと構造物床部６ａとの間に設けられる複数の免震装置７と、側壁面５ｂと構造物壁部６ｂとの間で上下方向に並べて設けられる複数の第１復元装置３とを備える。本発明を適用した免震システム１は、さらに、複数の第１復元装置３に連結される加圧装置４を備える。
【００３１】
本発明を適用した免震システム１は、地下収容部５の基礎盤５ａの上に載せ置かれた免震装置７の上に、さらに、構造物床部６ａが載せ置かれることにより、構造物６の構造物床部６ａを免震装置７で下方から支持して地震動を吸収するものである。
【００３２】
免震装置７は、図２（ａ）に示すように、上面１１ａに複数の上向きの凸曲面部１２が形成された平板状の基台１１と、下面２１ｂに略平坦の滑走部２３が形成された平板状の滑走板２１とを備え、基台１１の上に滑走板２１を載せ置くことにより設けられる。免震装置７は、基台１１から滑走板２１から脱落したときであっても、滑走板２１が慣性によってある程度移動してから自然停止するように設けられる。
【００３３】
基台１１は、図２（ｂ）に示すように、四隅が面取りされた略正方形の平板状に形成され、複数の凸曲面部１２が、滑走板２１側の上面１１ａに規則的に配置される。基台１１は、略正方形の四辺の長さが約５０ｃｍ、厚さが約１．５ｍｍであるが、これに限らず、如何なるサイズであってもよい。基台１１は、材質を金属製のものとし、特に、ステンレス製であることが望ましいが、これに限らず、ガラス、樹脂等を材質とするものであってもよい。
【００３４】
基台１１は、摩擦係数をコントロールし、又は、腐食から保護するために、所定の物性からなる皮膜をコーティングしてもよい。基台１１は、少なくとも凸曲面部１２の表層に、金属、セラミックス等の硬質材を被せてもよく、また、浸炭処理、ホウ化処理等の表面硬化処理を追加して、表面粗さを調節して摩擦係数をコントロールすることもできる。
【００３５】
凸曲面部１２は、隣り合う凸曲面部１２の頂部１２ａの間隔ｔを約２５ｍｍ程度とする。凸曲面部１２は、許容積載荷重等から間隔ｔが決定され、この間隔ｔが２ｍｍ〜１００ｍｍの範囲となることで、隣り合う凸曲面部１２の間の粉塵やゴミを排除したり、凸曲面部１２をプレス成型で製造することが容易となる。凸曲面部１２は、略円形状に形成されることが望ましいが、これに限らず、如何なる形状で形成されてもよい。
【００３６】
凸曲面部１２は、平面視において縦横に規則的に整列させて形成されるものであるが、これに限らず、図３（ａ）に示すように、千鳥状に形成するようにしてもよく、また、図３（ｂ）に示すように、不規則に形成することもできるし、図３（ｃ）に示すように、大きさの異なる凸曲面部１２を規則的に配列して形成することもできる。
【００３７】
凸曲面部１２は、図４（ａ）、（ｂ）に示すように、例えば、凸曲面部１２の直径ｄ１２が平面視で約１０ｍｍ、頂部１２ａの曲率半径が約３０ｍｍ、高さＨが約１．０ｍｍとなるように、プレス加工等により形成される。凸曲面部１２は、これに限らず、図４（ｃ）、（ｄ）に示すように、平面視で凸曲面部１２の同心円外側に、略円形状の隆起部１２ｂが形成されてもよい。これにより、凸曲面部１２は、上下方向に柔性（バネ性）が付与され、また、基礎盤５ａの不陸（平面精度の悪さ）を吸収することができる。凸曲面部１２は、同心円外側に隆起部１２ｂを形成させることにより、加工のときに仮りに歪みが生じた場合であっても、この隆起部１２ｂが自在に弾性変形することにより、当該歪みを吸収することが可能となる。
【００３８】
凸曲面部１２は、図５（ａ）、（ｂ）に示すように、平面視で凸曲面部１２の周方向に沿って、断続的なスリット１２ｃが形成されてもよい。スリット１２ｃは、貫通されていてもよいし、また非貫通の溝で構成されもよい。凸曲面部１２は、スリット１２ｃが設けられていることにより、多数の凸曲面部１２を一枚の鋼板にプレス成型したときに発生する内部応力を解放することができ、鋼板の平面精度を確保することができる。
【００３９】
凸曲面部１２は、図６（ａ）、（ｂ）に示すように、基台１１の材質を合成樹脂として、凸曲面部１２の内部に硬化剤８７を充填させることもでき、これにより、凸曲面部１２の圧縮強度を向上させることができ、十分な支持力を保持することができる。また、凸曲面部１２は、凸曲面部１２の周囲に発泡体８５を嵌合させて、潤滑材を蓄えて滑走性能を安定させることもできる。さらに、凸曲面部１２は、頂部１２ａに微小な窪みを設けてオイルを満たしておくこともでき、この凸曲面部１２の頂部１２ａを通じてオイルを滑走板２１の下面２１ｂに塗布させて、滑走板２１と基台１１との動摩擦係数を自然に調整することが可能となる。
【００４０】
滑走板２１は、図２（ｃ）に示すように、四隅が面取りされた略正方形の平板状に形成され、略正方形の四辺の長さが約５０ｃｍ、厚さが約１．６ｍｍとなるが、これに限らず、基台１１よりも大きいサイズで構成されてもよく、如何なるサイズであってもよい。滑走板２１は、材質を金属製のものとし、特に、ステンレス製であることが望ましいが、これに限らず、ガラス、樹脂等を材質とするものでもよく、表層にのみステンレスを用いるものでもよい。
【００４１】
滑走板２１は、図７（ａ）に示すように、凹曲面部２２も貫通孔２２ａも形成させずに、下面２１ｂを略平坦として、凸曲面部１２との当接部分以外である滑走部２３に、潤滑材を塗布することができる。この潤滑材は、グリース、四フッ化エチレン樹脂、シリコン樹脂等に代表されるものであり、滑走板２１の下面２１ｂの滑走部２３における摩擦係数を低減させて、滑り性を向上させるものである。この潤滑材は、ダイヤモンド等の粒径１μｍ〜５０μｍの粉体が混入したものを用いてもよく、また、シリコンオイル、グリース、重油、ワックス等、１００ｃｓｔ以上の粘度を有するものを塗布するものとしてもよい。
【００４２】
滑走板２１は、図７（ｂ）に示すように、下面２１ｂに滑走部２３を形成するとともに、凸曲面部１２との当接部分にサンドブラスト等を施すことにより、摩擦係数の大きい高摩擦部２２ｂを形成することもできる。滑走板２１は、摩擦係数の大きい高摩擦部２２ｂを、凸曲面部１２との当接部分とし、また、凸曲面部１２との当接部分以外に、摩擦係数の小さい潤滑剤を塗布することで、滑走板２１が滑走を開始するまでの抵抗力と、滑走板２１が滑走を開始した後の滑り性の両者とを自在に調整することができる。
【００４３】
滑走板２１は、高摩擦部２２ｂと凸曲面部１２とが当接された状態の静止摩擦係数を０．１０〜０．４０に設定しておくことで、地震の発生していない通常時に滑走板２１の移動を抑制することができ、構造物６が僅かな衝撃によって容易に移動してしまうことを防止することができる。
【００４４】
滑走板２１は、図７（ｃ）に示すように、平面視で凸曲面部１２の配列位置に対応させて、下面２１ｂに複数の凹曲面部２２が規則的に配列されてもよい。滑走板２１は、これに限らず、図７（ｄ）に示すように、平面視で凸曲面部１２の配列位置に対応させて、凹曲面部２２の代わりに、貫通孔２２ａが規則的に配列されてもよい。
【００４５】
凹曲面部２２は、凸曲面部１２の頂部１２ａと同一の曲率半径を有することが望ましいが、これに限らず、凸曲面部１２の頂部１２ａより大きい曲率半径を有するものとしてもよい。凹曲面部２２は、図８（ａ）に示すように、凸曲面部１２の頂部１２ａの高さＨより浅い深さｈ２２とすることができ、例えば、０．０５ｍｍ〜０．５０ｍｍの深さｈ２２となるように、プレス加工等により形成される。凹曲面部２２は、凸曲面部１２の頂部１２ａが凹曲面部２２の内側に当接可能となるように、凸曲面部１２の直径ｄ１２以上の大きさの直径ｄ２２とすることが望ましい。
【００４６】
凹曲面部２２は、凸曲面部１２が嵌合された状態の静止摩擦係数が、嵌合の深さに依存する。例えば、凹曲面部２２は、この静止摩擦係数を０．１０〜０．４０に設定しておくことで、地震の発生していない通常時に滑走板２１の移動を抑制することができ、構造物６が僅かな衝撃によって容易に移動してしまうことを防止することができる。
【００４７】
貫通孔２２ａは、図８（ｂ）に示すように、凸曲面部１２の頂部１２ａのみが嵌合するように、凸曲面部１２の直径ｄ１２よりも直径ｄ２２ａを短くして、パンチ等の押し抜き具を用いて形成される。貫通孔２２ａは、凸曲面部１２が平面視で略円形状に形成されるものであれば、それに対応させて平面視で略円形状に形成されることで、互いに安定した状態で嵌合することができる。
【００４８】
貫通孔２２ａは、凸曲面部１２が嵌合された状態の静止摩擦係数が、嵌合の深さに依存する。例えば、貫通孔２２ａは、この静止摩擦係数を０．１０〜０．４０に設定しておくことで、地震の発生していない通常時に滑走板２１の移動を抑制することができ、構造物６が僅かな衝撃によって容易に移動してしまうことを防止することができる。
【００４９】
免震装置７は、基台１１と滑走板２１との間に、ゲル状、ゾル状のグリース又はワックス等の止水材が充填されてもよい。これにより、免震装置７は、基台１１と滑走板２１との間に、水や粉塵等を侵入させることを防止して、免震装置７の防錆、防食を実現することができる。また、免震装置７は、滑走板２１の周縁において止水材が設けられていることで、内部に雨水等が浸入するのを回避することができる。
【００５０】
免震装置７は、基台１１と滑走板２１との間を、免震装置７の周縁においてシール材を用いて密閉し、内部における既存の空気を窒素ガス、アルゴンガス等の不活性ガスに置換することによって、金属製等の基台１１及び滑走板２１が空気によって酸化等することを防ぎ、免震装置７の防錆、防食を実現することができる。免震装置７は、基台１１及び滑走板２１の表層をポリエチレン等で被覆することにより、硫酸、塩酸、王水などに対する耐薬品性を向上させることもできる。
【００５１】
免震装置７は、略平坦の滑走部２３に凸曲面部１２が当接された場合に、動摩擦係数が０．０４程度となるように低く設定される。このため、免震装置７は、地震動の作用によって凸曲面部１２と高摩擦部２２ｂとの静止摩擦力を上回り、凸曲面部１２が滑走部２３に移動したときに、凸曲面部１２が滑走部２３でスムーズに摺動可能となる。これにより、免震装置７は、地震のときに凸曲面部１２が滑走部２３で摺動することにより、地震の振動を吸収することができる。なお、この動摩擦係数は、凸曲面部１２の表層に金属、セラミックス等の硬質材を被せたり、浸炭処理、ホウ化処理等の表面硬化処理を追加して施すことによって、さらに低く設定することができ、安定した滑走性能を得ることができる。
【００５２】
第１復元装置３は、図９に示すように、構造物６の地震動による水平方向の変位を復元するものであり、側壁面５ｂに取り付けられる支持部３１と、支持部３１に接続されて軸芯方向に変位する変位部３２とを備え、構造物６を四方から取り囲むようにして複数設けられる。
【００５３】
支持部３１は、側壁面５ｂにアンカーボルト等で固定され、内側に変位部収容室３１ａが形成される。支持部３１は、支持部３１の内側に形成された変位部収容室３１ａに、空気や油等を充填して用いられる。支持部３１は、これに限らず、構造物壁部６ｂにアンカーボルト等で固定されてもよい。
【００５４】
変位部３２は、軸芯方向に変位することで支持部３１の変位部収容室３１ａに収容される。変位部３２は、支持部３１の変位部収容室３１ａに充填された空気や油等により、軸芯方向に変位するときに緩衝機能を発揮するものとなる。変位部３２は、構造物６に地震動が作用する前の状態で、変位部３２が軸芯方向で側壁面５ｂに向けてのみ圧縮するようにして、全長状態で支持部３１に接続される。変位部３２は、これに限らず、支持部３１が構造物壁部６ｂに固定された場合は、変位部３２が軸芯方向で構造物壁部６ｂに向けてのみ圧縮するようにして、全長状態で支持部３１に接続されてもよい。
【００５５】
変位部３２は、構造物６に地震動が作用したときに、構造物壁部６ｂによって側壁面５ｂに向けて押されて、構造物６の水平方向の移動を緩衝させるエアダンパー又はオイルダンパーを圧縮ダンパーとして用いるものである。変位部３２は、構造物壁部６ｂから軸芯方向に作用する変位の速度により、当初は変位の速度に比例して押圧力が増大する。変位部３２は、この押圧力と軸芯方向の変位の速度との関係がバイリニアとなっており、所定の押圧力に到達した段階で、この軸芯方向の変位の速度の増大にかかわらず押圧力がほぼ一定となる。
【００５６】
変位部３２は、構造物６の構造物壁部６ｂと対向する先端面部３２ａに、免震装置７として用いられた平板状の基台１１と、平板状の滑走板２１とが、重ね合わされて取り付けられる。変位部３２は、これに限らず、ベアリングや、２枚重ねのポリエチレンシート、２枚重ねのテフロン（登録商標）シート、グリース、四フッ化エチレン樹脂、シリコン樹脂等が用いられてもよい。
【００５７】
変位部３２は、免震装置７として用いられた平板状の基台１１と、平板状の滑走板２１とを横向きに取り付けることにより、複数の凸曲面部１２が横向きに形成された基台１１と、凸曲面部１２に対向して滑走部２３が形成された滑走板２１とが重ね合わされる。
【００５８】
変位部３２は、先端面部３２ａに基台１１と滑走板２１とが重ね合わされて用いられること等により、変位部３２の先端面部３２ａと構造物壁部６ｂとに作用する上下左右方向の摩擦力を低減させることができる。これにより、変位部３２は、地震動の作用によって構造物６の構造物壁部６ｂが上下左右方向に変位した場合であっても、構造物壁部６ｂから作用する上下左右方向の摩擦力によって変位部３２が上下左右方向に折れ曲がること等による第１復元装置３の損傷を回避することができる。
【００５９】
加圧装置４は、第１復元装置３の支持部３１の変位部収容室３１ａにホース４１等を接続して、複数の第１復元装置３の支持部３１の変位部収容室３１ａを直列に連結するものである。加圧装置４は、複数の第１復元装置３の支持部３１の変位部収容室３１ａを直列に連結するホース４１等の始端部４１ａ及び終端部４１ｂに、１台のポンプ４２等が接続される。
【００６０】
加圧装置４は、第１復元装置３の各々の支持部３１の変位部収容室３１ａにオリフィスや予備タンクとともに連結される第１電磁弁４３と、第１復元装置３の支持部３１の変位部収容室３１ａに接続されるホース４１によって、各々の支持部３１を複数に亘って直列に連結する第２電磁弁４４とを備える。
【００６１】
加圧装置４は、構造物６に地震動が作用した後の状態で、変位部３２の軸芯方向で側壁面５ｂに向けた変位が、各々の支持部３１をポンプ４２で直列に加圧することにより、変位部３２を軸芯方向で構造物６に向けて伸長させるものである。加圧装置４は、これに限らず、支持部３１が構造物壁部６ｂに固定された場合は、変位部３２を軸芯方向で側壁面５ｂに向けて伸長させるものでもよい。
【００６２】
加圧装置４は、図９に示すように、構造物６を所定の位置に復元させる前の状態で、第１電磁弁４３を常時開放し、第２電磁弁４４は常時閉じた状態とする。これにより、第１復元装置３は、構造物６が地震動によって水平方向に変位するときの衝撃を、変位部３２の軸芯方向の圧縮によってエネルギー吸収させるショックアブソーバーとして用いられ、構造物６に緩衝機能を付与することができる。
【００６３】
また、加圧装置４は、地震が発生した後に構造物６を所定の位置に復元させるときに、第１電磁弁４３を閉じるとともに第２電磁弁４４を開放した状態として、ポンプ４２で各々の支持部３１を複数に亘って直列に加圧することにより、第１復元装置３の変位部３２を軸芯方向で全長状態に伸長させることができ、構造物６を第１復元装置３の変位部３２で四方から押して、構造物６に作用した地震動による変位を、変位部３２の軸芯方向の伸長によって復元させることができる。
【００６４】
本発明を適用した免震システム１は、凸曲面部１２が形成された平板状の基台１１の上に、滑走部２３が形成された平板状の滑走板２１を載せ置くことにより、構造物６から負荷される荷重を均一なものとして、構造物６の構造物床部６ａを下方から支持することが可能となる。
【００６５】
本発明を適用した免震システム１は、凸曲面部１２が形成された平板状の基台１１の上に、滑走部２３が形成された平板状の滑走板２１を載せ置くことにより、滑走板２１の滑りを滑らかにすることが可能となり、構造物６を載せた状態で安定的な滑りを実現して、免震の可動距離をいくらでも大きく取ることができ、想定外の大きな地震であっても、あらゆる方向から作用する振動を十分に減衰させる効果を発揮させ、構造物６に免震機能を付与することが可能となる。
【００６６】
本発明を適用した免震システム１は、構造物６を所定の位置に復元させる前の状態で、加圧装置４の第１電磁弁４３を常時開放し、第２電磁弁４４は常時閉じた状態とすることで、第１復元装置３をショックアブソーバーとして用いることができ、地震によって構造物６が水平方向に変位するときの衝撃エネルギーを吸収させる効果を発揮させ、構造物６に緩衝機能を付与することが可能となる。
【００６７】
本発明を適用した免震システム１は、構造物６に地震動が作用した後の状態で、加圧装置４を用いて各々の支持部３１をポンプ４２等で直列に加圧して、変位部３２を軸芯方向で構造物６に向けて一括して伸長させることができる。これにより、本発明を適用した免震システム１は、構造物６が地震動によって水平方向に変位した場合であっても、構造物６を第１復元装置３の変位部３２で四方から押すことができ、第１復元装置３の変位部３２が全長状態となることで、構造物６を所定の位置に復元させることのできる復元機能を構造物６に付与することが可能となる。
【００６８】
次に、本発明を適用した免震システム１の第２実施形態について説明する。なお、上述した構成要素と同一の構成要素については、同一の符号を付すことにより以下での説明を省略する。
【００６９】
本発明を適用した免震システム１は、図１０（ａ）、（ｂ）に示すように、第２実施形態において、基礎盤５ａと構造物床部６ａとの間に設けられる複数の免震装置７と、側壁面５ｂと構造物壁部６ｂとの間に設けられる複数の第１復元装置３と、さらに、基礎盤５ａと構造物床部６ａとの間で、基礎盤５ａから構造物６の内部空間６ｃに亘って設けられる第２復元装置９とを備える。本発明を適用した免震システム１は、さらに、複数の第１復元装置３に連結される加圧装置４を備える。
【００７０】
第２復元装置９は、基礎盤５ａと構造物床部６ａとの間に設けられ、基礎盤５ａに取り付けられる下段板部９１と、構造物６の内部に取り付けられる上段板部９２と、下段板部９１と上段板部９２とに連結され、下段板部９１と上段板部９２との相対変位を復元させる弾性柱体９３とを有する。
【００７１】
下段板部９１は、略正方形の平板状に形成され、四辺においてボルト等を基礎盤５ａに打ち込むことにより固定される。上段板部９２は、略正方形の平板状に形成され、内部空間６ｃで四辺においてボルト等を構造物床部６ａに打ち込むことにより固定される。弾性柱体９３は、積層ゴム等の弾性体が用いられ、下段板部９１と上段板部９２の水平方向における相対的な変位に追従し、構造物６の水平方向の変位を所定の位置に復元させるものである。
【００７２】
第２復元装置９は、図１１に示すように、免震装置７の修理や交換のときに、下段板部９１及び弾性柱体９３を取り外し、ジャッキ部材９４を取り付けるものとすることができる。第２復元装置９は、これに限らず、図１２に示すように、はじめから弾性柱体９３の代わりにジャッキ部材９４を内蔵しておき、常時は基礎盤５ａに非接触で保持することもできる。これにより、本発明を適用した免震システム１は、第２実施形態において、構造物６を第２復元装置９でジャッキアップして基礎盤５ａから離間させ、免震装置７の修理や交換を容易に実現するものとすることが可能となる。
【００７３】
本発明を適用した免震システム１は、第２実施形態においても、凸曲面部１２が形成された平板状の基台１１の上に、滑走部２３が形成された平板状の滑走板２１を載せ置くことにより、構造物６から負荷される荷重を均一なものとして、構造物６の構造物床部６ａを下方から支持することが可能となる。
【００７４】
本発明を適用した免震システム１は、第２実施形態においても、凸曲面部１２が形成された平板状の基台１１の上に、滑走部２３が形成された平板状の滑走板２１を載せ置くことにより、滑走板２１の滑りを滑らかにすることが可能となり、構造物６を載せた状態で安定的な滑りを実現して、免震の可動距離をいくらでも大きく取ることができ、想定外の大きな地震であっても、あらゆる方向から作用する振動を十分に減衰させる効果を発揮させ、構造物６に免震機能を付与することが可能となる。
【００７５】
本発明を適用した免震システム１は、第２実施形態においても、構造物６を所定の位置に復元させる前の状態で、加圧装置４の第１電磁弁４３を常時開放し、第２電磁弁４４は常時閉じた状態とすることで、第１復元装置３をショックアブソーバーとして用いることができ、地震によって構造物６が水平方向に変位するときの衝撃エネルギーを吸収させる効果を発揮させ、構造物６に緩衝機能を付与することが可能となる。
【００７６】
本発明を適用した免震システム１は、第２実施形態においても、構造物６に地震動が作用した後の状態で、加圧装置４を用いて各々の支持部３１をポンプ４２等で直列に加圧して、変位部３２を軸芯方向で構造物６に向けて一括して復元することができる。これにより、本発明を適用した免震システム１は、構造物６が地震動によって水平方向に変位した場合であっても、構造物６を第１復元装置３の変位部３２で四方から押すことができ、第１復元装置３の変位部３２が全長状態となることで、構造物６を所定の位置に復元させることのできる復元機能を構造物６に付与することが可能となる。
【００７７】
さらに、本発明を適用した免震システム１は、第２実施形態において、構造物６に地震動が作用した状態で、下段板部９１と上段板部９２とが弾性柱体９３で連結され、下段板部９１と上段板部９２との水平方向における相対変位に弾性柱体９３を追従させることができ、地震動に対して構造物６を共振させずに、水平方向の変位を所定の位置に復元させることのできる復元機能を構造物６に付与することが可能となる。
【００７８】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００７９】
例えば、本発明を適用した免震システム１は、図１２に示すように、基礎盤５ａと構造物床部６ａとの間に設けられる複数の免震装置７と、側壁面５ｂと構造物壁部６ｂとの間で上下方向に並べて設けられる複数の第１復元装置３と、下段板部９１及び弾性柱体９３の代わりにジャッキ部材９４が取り付けられた第２復元装置９とを備えるものとすることもできる。
【００８０】
また、本発明を適用した免震システム１は、原子力発電所等の構造物６を廃炉とする場合においては、水や土砂等で構造物６を地下収容部５に埋めて、蓋体８を被せることにより、構造物６を地下に埋没させることもでき、安全な原子力発電所となる。
【符号の説明】
【００８１】
１        ：免震システム
１１      ：基台
１１ａ    ：上面（基台）
１２      ：凸曲面部
１２ａ    ：頂部
１２ｂ    ：隆起部
１２ｃ    ：スリット
２１      ：滑走板
２１ｂ    ：下面（滑走板）
２２      ：凹曲面部
２２ａ    ：貫通孔
２２ｂ    ：高摩擦部
２３      ：滑走部
３        ：第１復元装置
３１      ：支持部
３１ａ    ：変位部収容室
３２      ：変位部
３２ａ    ：先端面部
４        ：加圧装置
４１      ：ホース
４１ａ    ：始端部
４１ｂ    ：終端部
４２      ：ポンプ
４３      ：第１電磁弁
４４      ：第２電磁弁
５        ：地下収容部
５ａ      ：基礎盤
５ｂ      ：側壁面
５ｃ      ：地盤面
６        ：構造物
６ａ      ：構造物床部
６ｂ      ：構造物壁部
６ｃ      ：内部空間
７        ：免震装置
８        ：蓋体
９        ：第２復元装置
９１      ：下段板部
９２      ：上段板部
９３      ：弾性柱体
９４      ：ジャッキ部材
【図１】
2014084678.tif 000003
【図２】
2014084678.tif 000004
【図３】
2014084678.tif 000005
【図４】
2014084678.tif 000006
【図５】
2014084678.tif 000007
【図６】
2014084678.tif 000008
【図７】
2014084678.tif 000009
【図８】
2014084678.tif 000010
【図９】
2014084678.tif 000011
【図１０】
2014084678.tif 000012
【図１１】
2014084678.tif 000013
【図１２】
2014084678.tif 000014
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
構造物を下方から支持して地震動を吸収する構造物の免震システムであって、
基礎盤と構造物との間に設けられて構造物を支持する免震装置と、基礎盤又は側壁面と構造物との間に設けられて構造物の地震動による変位を復元する復元装置とを備え、
前記免震装置は、上面に複数の上向きの凸曲面部が形成された平板状の基台の上に、下面に滑走部が形成された平板状の滑走板を載せ置くことにより設けられ、
前記復元装置は、支持部と、前記支持部に接続されて軸芯方向に圧縮する変位部とを有し、側壁面と構造物との間で、構造物を取り囲むようにして複数設けられ、構造物に地震動が作用する前の状態で、前記変位部が軸芯方向で前記支持部に向けてのみ圧縮するように前記支持部に接続されること
を特徴とする構造物の免震システム。
【請求項２】
複数の前記復元装置に取り付けられ、各々の前記支持部を複数に亘って直列に連結する加圧装置をさらに備え、
前記復元装置は、構造物に地震動が作用する前の状態で、前記変位部が軸芯方向で前記支持部に向けてのみ圧縮するように前記支持部に接続され、
前記加圧装置は、構造物に地震動が作用した後の状態で、各々の前記支持部を複数に亘って直列に加圧することにより、前記変位部を軸芯方向で伸長させること
を特徴とする請求項１記載の構造物の免震システム。
【請求項３】
前記復元装置は、前記変位部の軸芯方向で構造物に向けた先端面部に、前記基台と前記滑走板とが、重ね合わされて取り付けられること
を特徴とする請求項１又は２記載の構造物の免震システム。
【請求項４】
基礎盤と構造物との間で、基礎盤から構造物の内部空間に亘って設けられる第２復元装置をさらに備え、
前記第２復元装置は、基礎盤に取り付けられる下段板部と、構造物の内部空間に取り付けられる上段板部と、前記下段板部と前記上段板部とに連結される弾性柱体とを有すること
を特徴とする請求項１〜３の何れか１項記載の構造物の免震システム。
【請求項５】
前記第２復元装置は、前記下段板部及び前記弾性柱体を取り外して、構造物をジャッキアップするためのジャッキ部材を、前記上段板部に取り付けることができること
を特徴とする請求項４記載の構造物の免震システム。
【請求項６】
請求項１〜３の何れか１項記載の構造物の免震システムが備える復元装置であって、
前記復元装置は、各々の前記支持部で連結される第１電磁弁を開放するとともに、各々の前記支持部を複数に亘って直列に連結する第２電磁弁を閉じた状態とすることで、構造物に作用する地震動による衝撃を、前記変位部の軸芯方向の圧縮によってエネルギー吸収させるものであり、かつ、前記第１電磁弁を閉じるとともに、前記第２電磁弁を開放した状態として、各々の前記支持部を複数に亘って直列に加圧することにより、構造物に作用した地震動による変位を、前記変位部の軸芯方向の伸長によって復元させるものであること
を特徴とする復元装置。
【手続補正２】
【補正対象書類名】明細書
【補正対象項目名】００１０
【補正方法】変更
【補正の内容】
【００１０】
第１発明に係る構造物の免震システムは、構造物を下方から支持して地震動を吸収する構造物の免震システムであって、基礎盤と構造物との間に設けられて構造物を支持する免震装置と、基礎盤又は側壁面と構造物との間に設けられて構造物の地震動による変位を復元する復元装置とを備え、前記免震装置は、上面に複数の上向きの凸曲面部が形成された平板状の基台の上に、下面に滑走部が形成された平板状の滑走板を載せ置くことにより設けられ、前記復元装置は、支持部と、前記支持部に接続されて軸芯方向に圧縮する変位部とを有し、側壁面と構造物との間で、構造物を取り囲むようにして複数設けられ、構造物に地震動が作用する前の状態で、前記変位部が軸芯方向で前記支持部に向けてのみ圧縮するように前記支持部に接続されることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第２発明に係る構造物の免震システムは、第１発明において、複数の前記復元装置に取り付けられ、各々の前記支持部を複数に亘って直列に連結する加圧装置をさらに備え、前記復元装置は、構造物に地震動が作用する前の状態で、前記変位部が軸芯方向で前記支持部に向けてのみ圧縮するように前記支持部に接続され、前記加圧装置は、構造物に地震動が作用した後の状態で、各々の前記支持部を複数に亘って直列に加圧することにより、前記変位部を軸芯方向で伸長させることを特徴とする。
【手続補正５】
【補正対象書類名】明細書
【補正対象項目名】００１３
【補正方法】変更
【補正の内容】
【００１３】
第３発明に係る構造物の免震システムは、第１発明又は第２発明において、前記復元装置は、前記変位部の軸芯方向で構造物に向けた先端面部に、前記基台と前記滑走板とが、重ね合わされて取り付けられることを特徴とする。
【手続補正６】
【補正対象書類名】明細書
【補正対象項目名】００１４
【補正方法】変更
【補正の内容】
【００１４】
第４発明に係る構造物の免震システムは、第１発明〜第３発明の何れかにおいて、基礎盤と構造物との間で、基礎盤から構造物の内部空間に亘って設けられる第２復元装置をさらに備え、前記第２復元装置は、基礎盤に取り付けられる下段板部と、構造物の内部空間に取り付けられる上段板部と、前記下段板部と前記上段板部とに連結される弾性柱体とを有することを特徴とする。
【手続補正７】
【補正対象書類名】明細書
【補正対象項目名】００１５
【補正方法】変更
【補正の内容】
【００１５】
第５発明に係る構造物の免震システムは、第４発明において、前記第２復元装置は、前記下段板部及び前記弾性柱体を取り外して、構造物をジャッキアップするためのジャッキ部材を、前記上段板部に取り付けることができることを特徴とする。なお、第５発明に係る構造物の免震システムは、はじめから復元装置の弾性柱体の代わりにジャッキ部材を内蔵しておき、常時は基礎盤に非接触で保持するものとすることもできる。
【手続補正８】
【補正対象書類名】明細書
【補正対象項目名】００１６
【補正方法】変更
【補正の内容】
【００１６】
第６発明に係る復元装置は、第１発明〜第３発明の何れかの構造物の免震システムが備える復元装置であって、前記復元装置は、各々の前記支持部で連結される第１電磁弁を開放するとともに、各々の前記支持部を複数に亘って直列に連結する第２電磁弁を閉じた状態とすることで、構造物に作用する地震動による衝撃を、前記変位部の軸芯方向の圧縮によってエネルギー吸収させるものであり、かつ、前記第１電磁弁を閉じるとともに、前記第２電磁弁を開放した状態として、各々の前記支持部を複数に亘って直列に加圧することにより、構造物に作用した地震動による変位を、前記変位部の軸芯方向の伸長によって復元させるものであることを特徴とする。
【手続補正９】
【補正対象書類名】明細書
【補正対象項目名】００１９
【補正方法】変更
【補正の内容】
【００１９】
特に、第１発明によれば、構造物を所定の位置に復元させる前の状態で、復元装置をショックアブソーバーとして用いることができ、地震によって構造物が水平方向に変位するときの衝撃エネルギーを吸収させる効果を発揮させ、構造物に緩衝機能を付与することが可能となる。
【手続補正１０】
【補正対象書類名】明細書
【補正対象項目名】００２０
【補正方法】変更
【補正の内容】
【００２０】
特に、第２発明によれば、構造物に地震動が作用した後の状態で、加圧装置を用いて変位部を軸芯方向で構造物に向けて一括して伸長させることができ、構造物が地震動によって水平方向に変位した場合であっても、構造物を復元装置の変位部で四方から押して復元装置の変位部が全長状態となることで、構造物を所定の位置に復元させることのできる復元機能を構造物に付与することが可能となる。
【手続補正１１】
【補正対象書類名】明細書
【補正対象項目名】００２１
【補正方法】変更
【補正の内容】
【００２１】
特に、第３発明によれば、変位部の先端面部と構造物壁部とに作用する上下左右方向の摩擦力を低減させることができ、地震動の作用によって構造物の構造物壁部が上下左右方向に変位した場合であっても、構造物壁部から作用する上下左右方向の摩擦力によって変位部が上下左右方向に折れ曲がること等による復元装置の損傷を回避することが可能となる。
【手続補正１２】
【補正対象書類名】明細書
【補正対象項目名】００２２
【補正方法】変更
【補正の内容】
【００２２】
特に、第４発明によれば、下段板部と上段板部とが弾性柱体で連結され、構造物に地震動が作用した状態で、下段板部と上段板部の水平方向における相対変位に弾性柱体を追従させることができ、水平方向の変位を所定の位置に復元させることのできる復元機能を構造物に付与することが可能となる。
【手続補正１３】
【補正対象書類名】明細書
【補正対象項目名】００２３
【補正方法】変更
【補正の内容】
【００２３】
特に、第５発明によれば、構造物を復元装置でジャッキアップして基礎盤から離間させ、免震装置の修理や交換を容易に実現するものとすることが可能となる。また、第５発明によれば、復元装置において、はじめから弾性柱体の代わりにジャッキ部材を内蔵しておき、常時は基礎盤に非接触で保持するものとすることもできる。
【手続補正１４】
【補正対象書類名】明細書
【補正対象項目名】００２４
【補正方法】変更
【補正の内容】
【００２４】
特に、第６発明によれば、構造物を所定の位置に復元させる前の状態で、復元装置をショックアブソーバーとして用いることができ、地震によって構造物が水平方向に変位するときの衝撃をエネルギー吸収させる効果を発揮させ、構造物に緩衝機能を付与することが可能となる。また、第７発明によれば、構造物に地震動が作用した後の状態で、加圧装置を用いて変位部を軸芯方向で構造物に向けて一括して伸長させることができ、構造物が地震動によって水平方向に変位した場合であっても、構造物を復元装置の変位部で四方から押して復元装置の変位部が全長状態となることで、構造物を所定の位置に復元させることのできる復元機能を構造物に付与することが可能となる。
【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
構造物を下方から支持して地震動を吸収する構造物の免震システムであって、
基礎盤と構造物との間に設けられて構造物を支持する免震装置と、側壁面と構造物との間に設けられて構造物の地震動による変位を復元する第１復元装置とを備え、
前記免震装置は、上面に複数の上向きの凸曲面部が形成された平板状の基台の上に、下面に滑走部が形成された平板状の滑走板を載せ置くことにより設けられ、
前記第１復元装置は、支持部と、前記支持部に接続されて軸芯方向に圧縮する変位部とを有し、側壁面と構造物との間で、構造物を取り囲むようにして複数設けられ、構造物に地震動が作用する前の状態で、前記変位部が軸芯方向で前記支持部に向けてのみ圧縮するように前記支持部に接続されること
を特徴とする構造物の免震システム。
【請求項２】
複数の前記第１復元装置に取り付けられ、各々の前記支持部を複数に亘って直列に連結する加圧装置をさらに備え、
前記第１復元装置は、構造物に地震動が作用する前の状態で、前記変位部が軸芯方向で前記支持部に向けてのみ圧縮するように前記支持部に接続され、
前記加圧装置は、構造物に地震動が作用した後の状態で、各々の前記支持部を複数に亘って直列に加圧することにより、前記変位部を軸芯方向で伸長させること
を特徴とする請求項１記載の構造物の免震システム。
【請求項３】
前記第１復元装置は、前記変位部の軸芯方向で構造物に向けた先端面部に、前記基台と前記滑走板とが、重ね合わされて取り付けられること
を特徴とする請求項１又は２記載の構造物の免震システム。
【請求項４】
基礎盤と構造物との間で、基礎盤から構造物の内部空間に亘って設けられる第２復元装置をさらに備え、
前記第２復元装置は、基礎盤に取り付けられる下段板部と、構造物の内部空間に取り付けられる上段板部と、前記下段板部と前記上段板部とに連結される弾性柱体とを有すること
を特徴とする請求項１〜３の何れか１項記載の構造物の免震システム。
【請求項５】
前記第２復元装置は、前記下段板部及び前記弾性柱体を取り外して、構造物をジャッキアップするためのジャッキ部材を、前記上段板部に取り付けることができること
を特徴とする請求項４記載の構造物の免震システム。
【請求項６】
請求項１〜３の何れか１項記載の構造物の免震システムが備える第１復元装置であって、
前記第１復元装置は、各々の前記支持部で連結される第１電磁弁を開放するとともに、各々の前記支持部を複数に亘って直列に連結する第２電磁弁を閉じた状態とすることで、構造物に作用する地震動による衝撃を、前記変位部の軸芯方向の圧縮によってエネルギー吸収させるものであり、かつ、前記第１電磁弁を閉じるとともに、前記第２電磁弁を開放した状態として、各々の前記支持部を複数に亘って直列に加圧することにより、構造物に作用した地震動による変位を、前記変位部の軸芯方向の伸長によって復元させるものであること
を特徴とする第１復元装置。
【手続補正２】
【補正対象書類名】明細書
【補正対象項目名】００１０
【補正方法】変更
【補正の内容】
【００１０】
第１発明に係る構造物の免震システムは、構造物を下方から支持して地震動を吸収する構造物の免震システムであって、基礎盤と構造物との間に設けられて構造物を支持する免震装置と、側壁面と構造物との間に設けられて構造物の地震動による変位を復元する第１復元装置とを備え、前記免震装置は、上面に複数の上向きの凸曲面部が形成された平板状の基台の上に、下面に滑走部が形成された平板状の滑走板を載せ置くことにより設けられ、前記第１復元装置は、支持部と、前記支持部に接続されて軸芯方向に圧縮する変位部とを有し、側壁面と構造物との間で、構造物を取り囲むようにして複数設けられ、構造物に地震動が作用する前の状態で、前記変位部が軸芯方向で前記支持部に向けてのみ圧縮するように前記支持部に接続されることを特徴とする。
【手続補正３】
【補正対象書類名】明細書
【補正対象項目名】００１２
【補正方法】変更
【補正の内容】
【００１２】
第２発明に係る構造物の免震システムは、第１発明において、複数の前記第１復元装置に取り付けられ、各々の前記支持部を複数に亘って直列に連結する加圧装置をさらに備え、前記第１復元装置は、構造物に地震動が作用する前の状態で、前記変位部が軸芯方向で前記支持部に向けてのみ圧縮するように前記支持部に接続され、前記加圧装置は、構造物に地震動が作用した後の状態で、各々の前記支持部を複数に亘って直列に加圧することにより、前記変位部を軸芯方向で伸長させることを特徴とする。
【手続補正４】
【補正対象書類名】明細書
【補正対象項目名】００１３
【補正方法】変更
【補正の内容】
【００１３】
第３発明に係る構造物の免震システムは、第１発明又は第２発明において、前記第１復元装置は、前記変位部の軸芯方向で構造物に向けた先端面部に、前記基台と前記滑走板とが、重ね合わされて取り付けられることを特徴とする。
【手続補正５】
【補正対象書類名】明細書
【補正対象項目名】００１６
【補正方法】変更
【補正の内容】
【００１６】
第６発明に係る第１復元装置は、第１発明〜第３発明の何れかの構造物の免震システムが備える第１復元装置であって、前記第１復元装置は、各々の前記支持部で連結される第１電磁弁を開放するとともに、各々の前記支持部を複数に亘って直列に連結する第２電磁弁を閉じた状態とすることで、構造物に作用する地震動による衝撃を、前記変位部の軸芯方向の圧縮によってエネルギー吸収させるものであり、かつ、前記第１電磁弁を閉じるとともに、前記第２電磁弁を開放した状態として、各々の前記支持部を複数に亘って直列に加圧することにより、構造物に作用した地震動による変位を、前記変位部の軸芯方向の伸長によって復元させるものであることを特徴とする。
【手続補正６】
【補正対象書類名】明細書
【補正対象項目名】００１９
【補正方法】変更
【補正の内容】
【００１９】
特に、第１発明によれば、構造物を所定の位置に復元させる前の状態で、第１復元装置をショックアブソーバーとして用いることができ、地震によって構造物が水平方向に変位するときの衝撃エネルギーを吸収させる効果を発揮させ、構造物に緩衝機能を付与することが可能となる。
【手続補正７】
【補正対象書類名】明細書
【補正対象項目名】００２０
【補正方法】変更
【補正の内容】
【００２０】
特に、第２発明によれば、構造物に地震動が作用した後の状態で、加圧装置を用いて変位部を軸芯方向で構造物に向けて一括して伸長させることができ、構造物が地震動によって水平方向に変位した場合であっても、構造物を第１復元装置の変位部で四方から押して第１復元装置の変位部が全長状態となることで、構造物を所定の位置に復元させることのできる復元機能を構造物に付与することが可能となる。
【手続補正８】
【補正対象書類名】明細書
【補正対象項目名】００２１
【補正方法】変更
【補正の内容】
【００２１】
特に、第３発明によれば、変位部の先端面部と構造物壁部とに作用する上下左右方向の摩擦力を低減させることができ、地震動の作用によって構造物の構造物壁部が上下左右方向に変位した場合であっても、構造物壁部から作用する上下左右方向の摩擦力によって変位部が上下左右方向に折れ曲がること等による第１復元装置の損傷を回避することが可能となる。
【手続補正９】
【補正対象書類名】明細書
【補正対象項目名】００２３
【補正方法】変更
【補正の内容】
【００２３】
特に、第５発明によれば、構造物を第２復元装置でジャッキアップして基礎盤から離間させ、免震装置の修理や交換を容易に実現するものとすることが可能となる。また、第５発明によれば、第２復元装置において、はじめから弾性柱体の代わりにジャッキ部材を内蔵しておき、常時は基礎盤に非接触で保持するものとすることもできる。
【手続補正１０】
【補正対象書類名】明細書
【補正対象項目名】００２４
【補正方法】変更
【補正の内容】
【００２４】
特に、第６発明によれば、構造物を所定の位置に復元させる前の状態で、第１復元装置をショックアブソーバーとして用いることができ、地震によって構造物が水平方向に変位するときの衝撃をエネルギー吸収させる効果を発揮させ、構造物に緩衝機能を付与することが可能となる。また、第６発明によれば、構造物に地震動が作用した後の状態で、加圧装置を用いて変位部を軸芯方向で構造物に向けて一括して伸長させることができ、構造物が地震動によって水平方向に変位した場合であっても、構造物を第１復元装置の変位部で四方から押して第１復元装置の変位部が全長状態となることで、構造物を所定の位置に復元させることのできる復元機能を構造物に付与することが可能となる。